(57)【要約】【課題】型化を極力抑えると共に排水の処理能力を向上させることができる生ゴミ処理システムを提供する。【解決手段】生ゴミ処理システム１１には好気分解室２５と好気処理室２６とを備え、好気分解室２５において可溶化処理済みの生ゴミ排水をさらに好気処理室２６において好気処理（微生物処理）するようにした。また、好気分解室２５及び好気処理室２６の流出口を覆うように第１フィルタ部４１及び第２フィルタ部６１をそれぞれを設け、第１及び第２フィルタ部４１，６１の底壁４６にはそれぞれ複数のフィルタ４７を傾斜させて設けた。そして、第１及び第２フィルタ部４１，６１の下方、即ち各フィルタ４７の下方にはそれぞれ散気管５１，６２を配置し、当該散気管５１，６２からの気泡を第１及び第２フィルタ部４１，６１の各フィルタ４７に下方から接触させるようにした。【選択図】        図１
2004181288.tif 000002
【特許請求の範囲】
【請求項１】
破砕機により破砕された生ゴミ破砕物を含む生ゴミ排水を浄化処理する処理槽を備えた生ゴミ処理システムにおいて、
前記処理槽は、
移送手段により移送されてきた生ゴミ排水に含まれている生ゴミ破砕物を可溶化処理する好気分解室と、
前記好気分解室から流入した可溶化処理済みの生ゴミ排水を好気処理する好気処理室と、を備え、
前記両室における生ごみ排水の流出口にはそれぞれフィルタを傾斜して設けると共に、両フィルタの下方にはそれぞれ両室内に空気を送り込む散気手段を配置し、当該散気手段により発生した気泡を前記両フィルタにそれぞれ接触させるようにした生ゴミ処理システム。
【請求項２】
前記好気分解室の前段には前記移送手段により移送されてきた生ゴミ排水中の無機物をろ過する無機物分離槽を設けるようにした請求項１に記載の生ゴミ処理システム。
【請求項３】
前記好気処理室の後段には好気処理済みの生ゴミ排水を沈殿処理する沈殿処理室を設け、当該沈殿処理室に沈殿した汚泥を前記好気分解室又は無機物分離槽へ返送する返送手段を設けるようにした請求項２に記載の生ゴミ処理システム。
【請求項４】
前記両フィルタをそれぞれ前記好気分解室及び好気処理室に対して着脱可能に構成するようにした請求項１〜請求項３のうちいずれか一項に記載の生ゴミ処理システム。
【請求項５】
前記好気処理室の生ゴミ排水中には好気性微生物を着床させる複数の担体を投入し、この担体をＰＶＡゲルにより形成するようにした請求項１〜請求項４のうちいずれか一項に記載の生ゴミ処理システム。
【請求項６】
前記破砕機、無機物分離槽及び好気性処理室のうち少なくとも１つへ生ゴミ分解酵素を投入する生ゴミ分解酵素投入手段を備えるようにした請求項２〜請求項５のうちいずれか一項に記載の生ゴミ処理システム。
【請求項７】
前記散気手段は複数の空気噴出口を有した散気管を備えており、当該散気管の空気噴出方向が下方となるように当該散気管を好気分解室及び好気処理室の内壁にそれぞれ固定するようにした請求項１〜請求項６のうちいずれか一項に記載の生ゴミ処理システム。
【発明の詳細な説明】
【０００１】
【発明の属する技術分野】
本発明は、破砕機により破砕された生ゴミ破砕物を含む生ゴミ排水を浄化処理する生ゴミ処理システムに関するものである。
【０００２】
【従来の技術】
従来より、厨芥を粉砕した排水含有厨芥を好気的条件下で分解する水中分解槽と、この水中分解槽からの排水含有厨芥をさらに好気分解処理する排水処理槽と、この排水処理槽内で発生した余剰汚泥や未分解固形分を沈殿させる沈殿槽とを備えた排水含有厨芥処理装置が知られている（例えば、特許文献１。）。また、微生物担体と共に廃水を流動させて当該廃水を浄化する曝気槽を備えた廃水処理装置も知られている。この廃水処理装置の廃水の流出口にはスリットが設けられており、このスリットにより微生物担体と処理水とを分離して当該微生物担体を曝気槽内に滞留させるようにしている。曝気室内において、スリットの下方には散気管が配置されており、この散気管からの気泡の流動作用により廃水と微生物担体とを流動させるようにしている（例えば、特許文献２。）。
【０００３】
【特許文献１】
登録実用新案３０３３０８２号公報
【特許文献２】
特開平９−３８６７７号公報
【０００４】
【発明が解決しようとする課題】
ところが、特許文献１に記載の排水含有厨芥処理装置においては、処理能力を確保するために排水処理槽の容積を一定以上確保する必要があり小型化には限界があった。また、卵の殻などの無機物が水中分解槽及び排水処理槽にそれぞれ流入し、排水含有厨芥の分解処理効率が低下するおそれがあった。
【０００５】
一方、特許文献２に記載の廃水処理装置においては、廃水に含まれる繊維質や無機物などが分解されないまま曝気槽に流入して微生物担体へ絡みつき、当該微生物担体の流動が阻害されるおそれがあった。また、廃水に含まれる繊維質や無機物などが前記スリットに絡みつき、当該スリットに目詰まりが発生するおそれもあった。そして、これらに起因して廃水処理効率が低下するという問題があった。
【０００６】
本発明は上記問題点を解決するためになされたものであって、その目的は、大型化を極力抑えると共に排水の処理能力を向上させることができる生ゴミ処理システムを提供することにある。
【０００７】
【課題を解決するための手段】
請求項１に記載の発明は、破砕機により破砕された生ゴミ破砕物を含む生ゴミ排水を浄化処理する処理槽を備えた生ゴミ処理システムにおいて、前記処理槽は、移送手段により移送されてきた生ゴミ排水に含まれている生ゴミ破砕物を可溶化処理する好気分解室と、前記好気分解室から流入した可溶化処理済みの生ゴミ排水を好気処理する好気処理室と、を備え、前記両室における生ごみ排水の流出口にはそれぞれフィルタを傾斜して設けると共に、両フィルタの下方にはそれぞれ両室内に空気を送り込む散気手段を配置し、当該散気手段により発生した気泡を前記両フィルタにそれぞれ接触させるようにしたことをその要旨とする。
【０００８】
請求項２に記載の発明は、請求項１に記載の発明において、前記好気分解室の前段には前記移送手段により移送されてきた生ゴミ排水中の無機物をろ過する無機物分離槽を設けるようにしたことをその要旨とする。
【０００９】
請求項３に記載の発明は、請求項２に記載の発明において、前記好気処理室の後段には好気処理済みの生ゴミ排水を沈殿処理する沈殿処理室を設け、当該沈殿処理室に沈殿した汚泥を前記好気分解室又は無機物分離槽へ返送する返送手段を設けるようにしたことをその要旨とする。
【００１０】
請求項４に記載の発明は、請求項１〜請求項３のうちいずれか一項に記載の発明において、前記両フィルタをそれぞれ前記好気分解室及び好気処理室に対して着脱可能に構成するようにしたことをその要旨とする。
【００１１】
請求項５に記載の発明は、請求項１〜請求項４のうちいずれか一項に記載の発明において、前記好気処理室の生ゴミ排水中には好気性微生物を着床させる複数の担体を投入し、この担体をＰＶＡゲルにより形成するようにしたことをその要旨とする。
【００１２】
請求項６に記載の発明は、請求項２〜請求項５のうちいずれか一項に記載の発明において、前記破砕機、無機物分離槽及び好気性処理室のうち少なくとも１つへ生ゴミ分解酵素を投入する生ゴミ分解酵素投入手段を備えるようにしたことをその要旨とする。
【００１３】
請求項７に記載の発明は、請求項１〜請求項６のうちいずれか一項に記載の発明において、前記散気手段は複数の空気噴出口を有した散気管を備えており、当該散気管の空気噴出方向が下方となるように当該散気管を好気分解室及び好気処理室の内壁にそれぞれ固定するようにしたことをその要旨とする。
【００１４】
（作用）
請求項１に記載の発明によれば、破砕機により破砕された生ゴミ破砕物を含む生ゴミ排水は移送手段により好気分解室へ移送される。この好気分解室において生ゴミ排水に含まれている生ゴミ破砕物は可溶化処理される。可溶化処理済みの生ゴミ排水は好気分解室の流出口を介して好気処理室へ流入し、さらに好気処理される。このとき、好気分解室の流出口に設けられたフィルタにより、未分解の固形物の流出が抑制される。好気処理済みの生ゴミ排水は好気処理室の流出口を介して当該好気処理室の外部に流出する。このとき、好気処理室の流出口に設けられたフィルタにより固形物の流出が抑制される。可溶化処理済みの生ゴミ排水を好気処理すると共にフィルタにより固形物の流出が抑制されることにより、好気処理の効率が向上する。また、両室の流出口に傾斜して設けられた両フィルタにはそれぞれの下方に配置された散気手段からの気泡が接触する。このため、フィルタの目詰まりが抑制される。
【００１５】
請求項２に記載の発明によれば、請求項１に記載の発明の作用に加えて、移送手段により移送されてきた生ゴミ排水中の無機物は無機物分離槽によりろ過される。無機物がろ過された後の生ゴミ排水は好気分解室に流入する。
【００１６】
請求項３に記載の発明によれば、請求項２に記載の発明の作用に加えて、好気処理済みの生ゴミ排水は沈殿処理室へ流入して沈殿処理される。この沈殿処理室に沈殿した汚泥は好気分解室又は無機物分離槽へ返送される。
【００１７】
請求項４に記載の発明によれば、請求項１〜請求項３のうちいずれか一項に記載の発明の作用に加えて、両フィルタをそれぞれ好気分解室及び好気処理室に対して着脱可能となる。このため、両フィルタをそれぞれ取外すことにより、清掃などのメンテナンスが容易となる。
【００１８】
請求項５に記載の発明によれば、請求項１〜請求項４のうちいずれか一項に記載の発明の作用に加えて、好気処理室の生ゴミ排水中には好気性微生物を着床させる複数の担体が投入される。この担体はＰＶＡゲルにより形成される。このＰＶＡゲルは多孔質で弾力性に富み、破損しにくい。また、フィルタの閉塞が発生しにくい。
【００１９】
請求項６に記載の発明によれば、請求項２〜請求項５のうちいずれか一項に記載の発明の作用に加えて、前記破砕機、無機物分離槽及び好気性処理室のうち少なくとも１つには生ゴミ分解酵素が投入される。このため、生ゴミ破砕物に含まれている有機物の分解が促進される。
【００２０】
請求項７に記載の発明によれば、請求項１〜請求項６のうちいずれか一項に記載の発明の作用に加えて、散気手段を構成する散気管の空気噴出方向が下方となるように当該散気管は好気分解室及び好気処理室の内壁にそれぞれ固定される。このため、散気管から噴出される空気により好気分解室及び好気処理室内において水流が発生し、この水流によって好気分解室及び好気処理室内の生ゴミ破砕物は撹拌されるものの、当該生ゴミ破砕物に含まれる繊維質や固形物は散気管に巻き付きにくくなる。
【００２１】
【発明の実施の形態】
以下、本発明を生ゴミ処理システムに具体化した一実施形態を図１〜図９に従って説明する。
【００２２】
（生ゴミ処理システム全体の構造）
図１に示すように、生ゴミ処理システム１１は、キッチンシンクの底部に設けられた破砕機１２及び屋外に設置された地上設置式の処理槽１３を備えている。破砕機１２と処理槽１３とは移送管１４を介して相互に接続されている。破砕機１２により破砕された生ゴミ破砕物を含んだ排水（以下、「生ゴミ排水」という。）は移送管１４を介して処理槽１３内へ移送される。
【００２３】
（処理槽）
図１に示すように、処理槽１３のケーシング２１内には処理容器２２が配置されている。処理容器２２内は、第１隔壁２３及び第２隔壁２４により好気分解室２５、好気処理室２６及び沈殿処理室２７の３つの室に区画されている。好気分解室２５内の上部における移送管１４寄りには無機物分離槽２８が設けられており、この無機物分離槽２８内には前記移送管１４の出口が導入されている。
【００２４】
図２に示すように、処理容器２２の互いに対向する短側壁２２ａ，２２ａはそれぞれ処理槽１３の設置面Ｓに直交する垂直面Ｓｐ１に対して所定の角度θをなすように形成されている。図３に示すように、同じく長側壁２２ｂ，２２ｂはそれぞれ処理槽１３の設置面Ｓ及び垂直面Ｓｐ１に直交する垂直面Ｓｐ２に対して所定の角度θをなすように形成されている。図２〜図４に示すように、短側壁２２ａ，２２ａ及び長側壁２２ｂ，２２ｂはそれぞれ上方に向かうにつれて互いに拡開するように設けられている。また、図１及び図２に示すように、沈殿処理室２７側の短側壁２２ａの下部には沈殿処理室２７の内方へ屈曲した傾斜壁Ｂが形成されている。
【００２５】
第１及び第２隔壁２３，２４はそれぞれ垂直面Ｓｐ１に対して所定の角度θだけ同じ方向に傾斜するように設けられており、互いに平行をなしている。図３及び図４に示すように、第１隔壁２３の上部中央には流出凹部２３ａ（流出口）が形成されている。好気分解室２５内のオーバフロー分の生ゴミ排水は流出凹部２３ａを介して次段（後段）の好気処理室２６内に流入可能とされている。また、第２隔壁２４の上部中央には流出凹部２４ａ（流出口）が形成されている。好気処理室２６内のオーバフロー分の生ゴミ排水は流出凹部２４ａを介して次段（後段）の沈殿処理室２７内に流入可能とされている。
【００２６】
処理容器２２の底部において、隅角部は所定の丸み（半径ｒ）が形成されている。また、好気処理室２６及び沈殿処理室２７の底部における第１隔壁２３側及び第２隔壁２４側にはそれぞれ水流ガイド部２９ａ，２９ｂが設けられている。水流ガイド部２９ａ，２９ｂは処理容器２２の底壁に突設されており、第１隔壁２３側又は第２隔壁２４側に向かうにつれて傾斜が大きくなるように形成されている。水流ガイド部２９ａ，２９ｂの第１及び第２隔壁２３，２４側の側面は当該第１及び第２隔壁２３，２４にそれぞれ接触しており、当該第１及び第２隔壁２３，２４の下部をそれぞれ支持している。
【００２７】
（無機物分離槽）
無機物分離槽２８は処理容器２２に対して着脱可能に設けられており、生ゴミ排水に含まれる無機物（卵の殻など）をろ過する。図５に示すように、無機物分離槽２８は無機分離槽本体３１と、当該無機分離槽本体３１の互いに対向する長側壁にそれぞれ固定された一対の支持部材３２と、無機分離槽本体３１内に着脱可能に収容された網かご３３とを備えている。
【００２８】
無機分離槽本体３１は上部が開口した有底箱体状に形成されている。無機分離槽本体３１の互いに対向する一対の長側壁の上部にはそれぞれオーバフロー口３１ａが切欠形成されている。無機分離槽本体３１の一対の長側壁にはそれぞれ支持部材３２がボルト３４（図８参照）により固定されている。
【００２９】
支持部材３２は無機分離槽本体３１に固定される固定部３２ａと当該固定部３２ａに対して直交する支持部３２ｂとから縦断面逆Ｌ字状となるように形成されている。支持部３２ｂの上部には流出口３２ｃが形成されており、この流出口３２ｃは支持部材３２を無機分離槽本体３１に固定した状態でオーバフロー口３１ａと一致するように設けられている。網かご３３は網体により上部が開口した有底箱体状に形成されている。網かご３３の互いに対向する短側壁の上部間には取手３３ａが回動可能に設けられている。
【００３０】
図８に示すように、無機分離槽本体３１は両支持部３２ｂ，３２ｂにより処理容器２２の上端面間に吊り下げ支持され、この状態で蝶ボルト３５を両支持部３２ｂ，３２ｂの上方から処理容器２２の上端面に締め付けることによって処理容器２２内の上部に支持固定されている。この固定状態において、無機分離槽本体３１の下部、厳密にはオーバフロー口３１ａよりも下の部位は好気分解室２５内の生ゴミ排水に浸されている。しかし、無機分離槽本体３１のオーバフロー口３１ａは第１隔壁２３の流出凹部２３ａよりも上方に位置しているので、好気分解室２５に貯留されている生ゴミ排水がオーバフロー口３１ａから無機分離槽本体３１内に流れ込むことはない。
【００３１】
（好気分解室）
好気分解室２５は無機物分離槽２８から流入してきた無機物をろ過した後の生ゴミ排水を好気分解処理して可溶化する。図１に示すように、好気分解室２５内の上部において、第１隔壁２３側には第１フィルタ部４１が処理容器２２に対して着脱可能に設けられている。この第１フィルタ部４１は好気分解室２５の流出口（流出凹部２３ａ）を覆うようにして設けられている。
【００３２】
（第１フィルタ部）
図６に示すように、第１フィルタ部４１は第１フィルタ部本体４２と、当該第１フィルタ部本体４２の互いに対向する側壁にそれぞれ固定された一対の支持部材４３とを備えている。第１フィルタ部本体４２は互いに対向する一対の側壁４４，４４と、両側壁４４，４４に直交する一対の側壁４５，４５と、底壁４６とから上部が開口した有底箱体状に形成されている。
【００３３】
図２に示すように、第１フィルタ部４１を好気分解室２５内の上部に固定した状態において、一方（無機物分離槽２８側）の側壁４４は設置面Ｓに平行をなす水平面Ｓｈに対して直交をなすように設けられており、他方（第１隔壁２３側）の側壁は垂直面Ｓｐ１に対して所定の角度θをなすように設けられている。また、この他方の側壁４４の上部には流出凹部４４ａが切欠形成されている。この流出凹部４４ａが第１隔壁２３の流出凹部２３ａに一致するように第１フィルタ部本体４２は好気分解室２５内に配置されている。両側壁４５，４５はそれぞれ水平面Ｓｈに対して直交するように設けられている。
【００３４】
図２に示すように、底壁４６は水平面Ｓｈに対して所定の角度θｈをなすように設けられており、本実施形態ではθｈ＝４５度に設定されている。図６に示すように、第１フィルタ部本体４２の底壁４６には複数のフィルタ４７が所定間隔をおいて配設されている。本実施形態では、６つのフィルタ４７が２行３列となるように配置されている。フィルタ４７の目開きは３ｍｍ以下が望ましく、本実施形態では１ｍｍに設定されている。フィルタ４７の目開きを３ｍｍを超える値に設定した場合、３ｍｍを超える未分解の生ゴミ破砕物が好気処理室２６へ流出するおそれがある。
【００３５】
第１フィルタ部本体４２の互いに対向する側壁４５，４５の上部にはそれぞれ支持部材４３がボルト４８（図７参照）により固定されている。支持部材４３は第１フィルタ部本体４２に固定される固定部４３ａと当該固定部４３ａに対して直交する支持部４３ｂとから縦断面逆Ｌ字状となるように形成されている。図７に示すように、第１フィルタ部本体４２は両支持部材４３，４３により処理容器２２の上端面間に吊り下げ支持され、この状態で蝶ボルト４９を両支持部４３ｂ，４３ｂの上方から処理容器２２の上端面に締め付けることによって処理容器２２の上部に支持固定されている。
【００３６】
（散気管）
図１に示すように、第１フィルタ部４１の底壁４６（厳密には、各フィルタ４７）の下方における好気分解室２５の内壁には散気管５１が配置されている。本実施形態では、第１隔壁２３における好気分解室２５側側面の下部に散気管５１は固定されている。図９に示すように、散気管５１には複数の空気噴出口５１ａが形成されており、各空気噴出口５１ａが下方（好気分解室２５の内底面側）を向くように当該散気管５１は配置されている。さらに詳述すると、空気噴出口５１ａからの空気噴出方向（図９に矢印で示す。）が設置面Ｓに対して直交するように散気管５１は設けられている。散気管５１には連結管５２を介してブロワ５３が接続されており、このブロワ５３の駆動により好気分解室２５内には空気（酸素）が連結管５２及び散気管５１の各空気噴出口５１ａを介して供給される。
【００３７】
（好気処理室）
好気処理室２６は好気分解室２５から流入してきた可溶化処理済みの生ゴミ排水をさらに好気処理する。好気処理室２６内の上部において、第２隔壁２４側には第２フィルタ部６１が処理容器２２に対して着脱可能に設けられている。この第２フィルタ部６１は好気処理室２６の流出口（即ち、流出凹部２４ａ）を覆うようにして設けられている。この第２フィルタ部６１は前述した第１フィルタ部４１と同様の構成であるので同一の符号を付し、その重複した説明を省略する。
【００３８】
図１に示すように、第２フィルタ部６１の底壁４６（厳密には、各フィルタ４７）の下方における好気処理室２６の内壁には散気管６２が配置されている。本実施形態では、第２隔壁２４における好気処理室２６側側面の下部に散気管６２は固定されている。図９に示すように、散気管６２には複数の空気噴出口６２ａが形成されており、各空気噴出口６２ａが下方（好気処理室２６の内底面側）を向くように当該散気管６２は配置されている。さらに詳述すると、空気噴出口６２ａからの空気噴出方向（図９に矢印で示す。）が設置面Ｓに対して直交するように散気管６２は設けられている。散気管６２には連結管６３を介してブロワ５３が接続されており、このブロワ５３の駆動により好気処理室２６内には空気（酸素）が連結管６３及び散気管６２の各空気噴出口６２ａを介して供給される。
【００３９】
（担体；ＰＶＡゲル）
図１に示すように、好気処理室２６に貯留された生ゴミ排水中には好気性微生物を着床させる複数の担体６４が投入され、浮遊している。この担体６４は多孔質のＰＶＡ（ポリビニルアルコール）ゲルにより直径５ｍｍ程度の球状（断面円形だけでなく断面楕円形も含む）に形成されている。このＰＶＡゲルの表面には細かい凹凸（図示略）があり、好気性微生物の初期付着性に優れている。また、ＰＶＡゲルの内部には表面から無数の細かい孔（図示略）が連通し、好気性微生物が侵入及び定着しやすい構造となっている。このため、好気処理室２６内の菌体濃度（好気性微生物の濃度）が高められる。
【００４０】
（沈殿処理室）
沈殿処理室２７は第２隔壁２４の流出凹部２４ａから流入してきた好気処理済みの生ゴミ排水に含まれる固形物（未分解の生ゴミ破砕物や余剰汚泥など）の沈殿処理を行う。処理容器２２において沈殿処理室２７側の短側壁２２ａの上部には排水口７１が形成されている。この排水口７１には排水管７２の一端が接続されており、同じく他端はケーシング２１の側壁を貫通して外部に導出されている。沈殿処理室２７内で固液分離された沈殿処理済みの生ゴミ排水（即ち、沈殿処理室２７内における生ゴミ排水の上澄み）は排水管７２を介して外部に流出可能とされている。
【００４１】
沈殿処理室２７内は分離壁６５により２つの室２７ａ，２７ｂに仕切られており、この両室２７ａ，２７ｂはそれぞれの下部において連通している。分離壁６５は第２隔壁２４の流出凹部２４ａと排水管７２とを遮るように配置されている。また、沈殿処理室２７内（厳密には、第２隔壁２４と分離壁６５との間の室２７ａ内）にはエアリフト管７３が配設されており、このエアリフト管７３の下端側の途中には連結管７４を介してブロワ５３が連結されている。エアリフト管７３の下端開口部（沈殿処理室２７内の生ゴミ排水の流入口）７３ａは、沈殿処理室２７の内底面における水流ガイド部２９ｂと傾斜壁Ｂとの間の平坦部に対向するように配置されている。エアリフト管７３の上端は返送管７５を介して無機物分離槽２８内に導入されている。
【００４２】
尚、本実施形態において、移送管１４は移送手段を構成する。第１隔壁２３は好気分解室２５の内壁を構成する。流出凹部２３ａ及び流出凹部４４ａは好気分解室２５からの生ゴミ排水の流出口を構成する。第２隔壁２４は好気処理室２６の内壁を構成する。流出凹部２４ａ及び流出凹部４４ａは好気処理室２６からの生ゴミ排水の流出口を構成する。水流ガイド部２９ａ、第１及び第２フィルタ部４１，６１の底壁４６、各フィルタ４７、散気管５１，６２、連結管５２，６３及びブロワ５３は好気分解室２５及び好気処理室２６の内部を撹拌する撹拌手段を構成する。  また、散気管５１，６２、連結管５２，６３及びブロワ５３は散気手段を構成する。ブロワ５３、エアリフト管７３、連結管７４及び返送管７５は返送手段を構成する。生ゴミ分解酵素投入装置Ｍｃは生ゴミ分解酵素投入手段を構成する。分離壁６５は好気処理室２６から流入してきた生ゴミ排水に含まれる固形物（未分解の生ゴミ破砕物や余剰汚泥など）が排水管７２から直接外部に排出することを抑制する固形物排出抑制構造を構成する。水流ガイド部２９ｂ及び傾斜壁Ｂは好気処理室２６から流入してきた生ゴミ排水に含まれる固形物をエアリフト管７３の下端開口部７３ａの直下（沈殿処理室２７の内底面における中央部付近）に集める固形物集合構造を構成する。エアリフト管７３の下端開口部７３ａは返送手段における生ゴミ排水の流入口を構成する。
【００４３】
（実施形態の作用）
次に、前述のように構成した生ゴミ処理システムの作用について説明する。
キッチンシンクの排水口からキッチン排水とともに投下された生ゴミは破砕機１２により所定の大きさに破砕される。破砕機１２の運転直前には生ゴミ分解酵素投入装置Ｍｃが作動され、生ゴミ分解酵素が当該破砕機１２内に投入される。破砕機１２により破砕された生ゴミ破砕物を含んだキッチン排水（被処理水）は生ゴミ分解酵素と混合された状態で移送管１４を介して無機物分離槽２８内へ移送される。
【００４４】
（無機物分離工程）
無機物分離槽２８内に移送されてきた生ゴミ排水中に含まれている卵の殻などの無機物は網かご３３により捕捉されてろ過される。この無機物が分離された生ゴミ排水は、無機分離槽本体３１のオーバフロー口３１ａ及び支持部材３２の流出口３２ｃ（図５参照）を介して好気分解室２５内へ流出する。ちなみに、網かご３３内に溜まった無機物は、メンテナンス時に取手３３ａを掴んで網かご３３を無機分離槽本体３１から取り外すことにより容易に除去することができる。
【００４５】
（好気分解処理工程；一次処理工程）
好気分解室２５内に流れ込んできた生ゴミ排水は、当該好気分解室２５において好気分解処理される。好気分解処理とは、溶存酸素の存在のもとに様々な好気性微生物が関与して有機性物質、アンモニア性窒素及び臭気などを酸化分解して除去する処理である。即ち、ブロワ５３の駆動により空気（酸素）が連結管５２及び散気管５１を介して好気分解室２５内へ供給されること（曝気処理）により、生ゴミ破砕物などの有機物の表面に付着した好気性微生物や好気分解室２５内の好気性微生物が活性化される。この活性化された好気性微生物により生ゴミ排水に含まれる生ゴミ破砕物などの有機物成分が分解され、可溶化する（どろどろになる）。
【００４６】
散気管５１が第１フィルタ部４１の下方に配置されていることから、散気管５１の各空気噴出口５１ａから噴出した気泡は好気分解室２５内を上昇して第１フィルタ部４１の底壁４６（各フィルタ４７）に下方から接触する。気泡は傾斜した底壁４６の下方から上方に案内されて無機物分離槽２８の下方へ導かれる。この結果、好気分解室２５内には図１に矢印で示す左回りの旋回流Ｃ１が生成される。
【００４７】
処理容器２２の短側壁２２ａ及び第１隔壁２３がそれぞれ垂直面Ｓｐ１に対して、また長側壁２２ｂが垂直面Ｓｐ２に対して所定の角度θだけ傾斜外方に傾斜しているので、旋回流Ｃ１が円滑に生成されると共に水流が良好に保たれる。また、気泡が底壁４６の各フィルタ４７に接触することにより、当該各フィルタ４７に生ゴミ破砕物が付着することが抑制される。即ち、気泡を底壁４６に接触させることにより、フィルタ４７のクリーニング効果（洗浄効果）が得られ、各フィルタ４７の目詰まりが抑制される。
【００４８】
さらに、好気分解室２５内の生ゴミ排水に含まれる未分解の生ゴミ破砕物も旋回流Ｃ１により好気分解室２５内を左回りするように流動し、底壁４６の各フィルタ４７に接触しながら無機物分離槽２８の下方へ導かれる。換言すれば、好気分解室２５内の生ゴミ破砕物は旋回流Ｃ１により撹拌される。未分解の生ゴミ破砕物は水流による撹拌により互いにぶつかり合うと共に底壁４６や当該底壁４６の各フィルタ４７に接触することによりその微細化が促進される。また、生ゴミ破砕物などの固形物が各フィルタ４７に接触しながら下方から上方へ移動することによりフィルタ４７のクリーニング効果がいっそう向上する。
【００４９】
好気分解処理により１ｍｍ以下に分解された生ゴミ破砕物を含む生ゴミ排水は各フィルタ４７を通過して第１フィルタ部４１内に流入し、第１フィルタ部本体４２の流出凹部４４ａ及び第１隔壁２３の流出凹部２３ａを介して好気処理室２６内へ流出する。この際、フィルタ４７の目開き（１ｍｍ）よりも大きい未分解の生ゴミ破砕物が当該フィルタ４７を通過することはない。ちなみに、各フィルタ４７を第１フィルタ部４１ごと好気分解室２５（処理容器２２）から取り外すことにより、当該各フィルタ４７の清掃などのメンテナンスを容易に行うことができる。
【００５０】
（好気処理工程；二次処理工程）
好気処理室２６内に流れ込んできた生ゴミ排水は、当該好気処理室２６において好気処理される。好気処理とは、溶存酸素の存在のもとに様々な好気性微生物が関与して、有機性物質、アンモニア性窒素及び臭気などを酸化分解して除去する処理方法である。即ち、ブロワ５３の駆動により空気（酸素）が連結管６３及び散気管６２を介して好気処理室２６内に供給されること（曝気処理）により好気分解処理済みの生ゴミ破砕物などの有機物の表面に付着している好気性微生物や担体６４の表面及び内部の好気性微生物が活性化される。この活性化された好気性微生物により生ゴミ排水に含まれる有機物成分が分解される。
【００５１】
散気管６２が第２フィルタ部６１の下方に配置されていることから、散気管６２の空気噴出口６２ａから噴出した気泡は好気処理室２６内を上昇して第２フィルタ部６１の底壁４６（各フィルタ４７）に下方から接触する。気泡は傾斜した底壁４６に沿うようにして下方から上方に案内される。この結果、好気処理室２６内には図１に矢印で示す左回りの旋回流Ｃ２が生成される。
【００５２】
第１隔壁２３は垂直面Ｓｐ１に対して所定の角度θだけ好気処理室２６側へ傾斜しているものの、当該好気処理室２６の底部における第１隔壁２３側の隅部に設けられた水流ガイド部２９ａに案内されることにより、水流が当該隅部に滞留することが防止される。そして、水流ガイド部２９ａに加えて処理容器２２の両短側壁２２ａ及び第２隔壁２４がそれぞれ垂直面Ｓｐ１に対して所定の角度θだけ外方に傾斜していることにより、旋回流Ｃ２が円滑に生成されると共にこの水流が良好に保たれる。また、気泡が底壁４６の各フィルタ４７に接触することにより、当該各フィルタ４７に生ゴミ破砕物が付着することが抑制される。即ち、気泡を底壁４６に接触させることにより、フィルタ４７のクリーニング効果が得られ、各フィルタ４７の目詰まりが抑制される。
【００５３】
また、好気処理室２６内の生ゴミ排水に含まれる未分解の生ゴミ破砕物及び各担体６４も旋回流Ｃ２により撹拌され、好気処理室２６内を左回りに流動する。これにより、生ゴミ排水は担体６４の表面及び内部に効率的に接触し、この担体６４の表面や内部の好気性微生物により生ゴミ排水中の生ゴミ破砕物等の有機物成分が分解される。好気分解室２５からの好気分解処理済みの生ゴミ排水に含まれる生ゴミ破砕物は可溶化されているので、好気処理が効率的に行われる。また、各担体６４が旋回流Ｃ２により撹拌されることにより当該各担体６４が各フィルタ４７に接触しながら下方から上方に移動する。これにより、当該各フィルタ４７のクリーニング効果がいっそう向上する。
【００５４】
好気処理により微生物分解された生ゴミ破砕物を含む生ゴミ排水は第２フィルタ部６１のフィルタ４７を通過して第２フィルタ部６１内に流入し、第２隔壁２４の流出凹部２４ａを介して沈殿処理室２７内へ流出する。この際、好気分解室２５内の未分解の生ゴミ破砕物のうちフィルタ４７の目開き（１ｍｍ）よりも大きい粒度の生ゴミ破砕物が当該フィルタ４７を通過することはない。ちなみに、各フィルタ４７を第２フィルタ部６１ごと好気処理室２６（処理容器２２）から取り外すことにより、当該各フィルタ４７の清掃などのメンテナンスを容易に行うことができる。
【００５５】
（沈殿処理工程）
沈殿処理室２７において、好気処理済みの生ゴミ排水に含まれる未分解の生ゴミ破砕物等の固形物や余剰汚泥は沈殿処理室２７内において沈殿する。このとき、沈殿処理室２７内の分離壁６５により、固形物や余剰汚泥が直接排水管７２から外部に排出されることが抑制される。
【００５６】
沈殿処理室２７内において、沈澱した固形物や汚泥はエアリフトで前記無機物分離槽２８へ連続的に戻される。即ち、ブロワ５３の駆動により連結管７４を介してエアリフト管７３の途中に空気が供給されると、沈殿処理室２７内の生ゴミ排水は固形物と共に当該エアリフト管７３及び返送管７５を介して無機物分離槽２８の網かご３３内へ移送される。
【００５７】
このとき、好気処理室２６からの固形物や余剰汚泥は、水流ガイド部２９ｂと短側壁２２ａの傾斜壁Ｂとにより、エアリフト管７３の下端開口部の直下（沈殿処理室２７の内底面における中央部付近）に集められる。このため、未分解の固形物や汚泥は効率的にエアリフト管７３に流入し、無機物分離槽２８内へ戻される。無機物分離槽２８へ返送された生ゴミ排水は、前述と同様に好気分解処理及び好気処理が繰り返される。沈殿処理室２７内に貯留した生ゴミ排水の上澄みは排水管７２を介して外部へ排出される。
【００５８】
（実施形態の効果）
従って、本実施形態によれば、以下の効果を得ることができる。
（１）生ゴミ処理システム１１には好気分解室２５と好気処理室２６とを備え、好気分解室２５において可溶化処理（液化処理）済みの生ゴミ排水をさらに好気処理室２６において好気処理（微生物処理）するようにした。このため、好気処理室２６における好気処理を効率的に行うことができる。
【００５９】
（２）また、好気分解室２５及び好気処理室２６の流出口を覆うように第１フィルタ部４１及び第２フィルタ部６１をそれぞれを設けた。また、第１及び第２フィルタ部４１，６１の底壁４６をそれぞれ傾斜させ、両底壁４６にはそれぞれ複数のフィルタ４７を設けるようにした。このため、第１及び第２フィルタ部４１，６１の各フィルタ４７により、生ゴミ排水に含まれる固形物の流出が抑制される。従って、好気分解室２５で未分解の生ゴミ破砕物が好気処理室２６内に流入することが抑制され、当該好気処理室２６内における好気処理を効率的に行うことができる。
【００６０】
（３）さらに、第１及び第２フィルタ部４１，６１の下方にはそれぞれ散気管５１，６２を配置し、当該散気管５１，６２からの気泡を第１及び第２フィルタ部４１，６１の各フィルタ４７に下方から接触させるようにした。このため、好気分解室２５及び好気処理室２６内にはそれぞれ旋回流Ｃ１，Ｃ２が生成される。これらの旋回流Ｃ１，Ｃ２により好気分解室２５及び好気処理室２６内の生ゴミ排水中の固形分は各フィルタ４７に接触しながら下方から上方（水面側）へ案内される。これにより、各フィルタ４７に生ゴミ破砕物などの固形物が付着することが抑制される。ひいては、各フィルタ４７の閉塞（目詰まり）を防止することができる。また、好気分解室２５及び好気処理室２６内の生ゴミ排水中の固形分は旋回流Ｃ１，Ｃ２により第１及び第２フィルタ部４１，６１の各フィルタ４７に接触したり互いにぶつかり合ったりすることにより、その微細化が促進される。この結果、好気分解室２５及び好気処理室２６において生ゴミ破砕物を効率よく分解することができる。
【００６１】
（５）好気分解室２５の前段には移送管１４により移送されてきた生ゴミ排水中の卵の殻などの無機物をろ過する無機物分離槽２８を設けるようにした。好気分解室２５には無機物がろ過された後の生ゴミ排水が流入する。このように、卵の殻などの無機物、即ち微生物分解されにくい比重の高い厨芥成分の事前除去が行われることにより、卵の殻などの無機物が好気分解室２５内に堆積することが抑制されると共に、当該好気分解室２５内での好気分解処理を効率的に行うことができる。
【００６２】
（６）また、無機物分離槽２８は好気分解室２５（処理容器２２）に固定された無機分離槽本体３１と当該無機分離槽本体３１内に着脱可能に収容された網かご３３とを備えており、卵の殻などの無機物はこの網かご３３内に堆積する。従って、網かご３３を引き上げることにより、清掃などのメンテナンスを簡単に行うことができる。
【００６３】
（７）好気処理室２６の後段には好気処理済みの生ゴミ排水を沈殿処理する沈殿処理室２７を設けるようにした。そして、この沈殿処理室２７に沈殿した汚泥を無機物分離槽２８へ連続的に返送する返送手段を設けるようにした。この返送手段はブロワ５３、連結管７４、エアリフト管７３及び返送管７５から構成するようにした。このため、ブロワ５３の作動により沈殿処理室２７に沈殿した汚泥はエアリフト管７３及び返送管７５を介して無機物分離槽２８内へ戻され、再び好気分解処理及び好気処理が繰り返される。この結果、生ゴミ破砕物などの固形分の減量化が図られる。
【００６４】
（８）第１及び第２フィルタ部４１，６１、即ち、各フィルタ４７をそれぞれ好気分解室２５及び好気処理室２６に対して着脱可能に構成するようにした。このため、第１及び第２フィルタ部４１，６１の各フィルタ４７をそれぞれ取外すことにより、清掃などのメンテナンスを容易に行うことができる。
【００６５】
（９）好気処理室２６の生ゴミ排水中には好気性微生物が着床される複数の担体６４を投入するようにした。このため、好気処理室２６内における好気性微生物濃度が高められ、生ゴミ排水の処理能力が向上する。従って、担体６４を浮遊させないようにした場合と異なり、好気処理室２６の容積を小さくすることができ、ひいては処理容器２２の小型化が図られる。また、担体６４をＰＶＡゲルにより形成するようにした。このＰＶＡゲルは多孔質で弾力性に富み、破損しにくい。また、第１及び第２フィルタ部４１，６１の各フィルタ４７の閉塞が発生しにくい。
【００６６】
（１０）破砕機１２の運転開始の直前、当該破砕機１２には生ゴミ分解酵素を投入するようにした。このため、生ゴミは破砕機１２により破砕されながら生ゴミ分解酵素と混合される。従って、生ゴミ分解酵素と生ゴミ（あるいは生ゴミ破砕物）とを効率よく混合され、生ゴミ排水に含まれる生ゴミ破砕物等の分解が促進される。ひいては、好気分解室２５及び好気処理室２６における処理能力が向上し、生ゴミ処理システム１１の小型化に寄与する。
【００６７】
（１１）処理容器２２の両短側壁２２ａ，２２ａ及び両長側壁２２ｂ，２２ｂをそれぞれ上方に向かうにつれて拡開するように傾斜させた。具体的には、処理容器２２の互いに対向する短側壁２２ａ，２２ａをそれぞれ処理槽１３の設置面Ｓに直交する垂直面Ｓｐ１に対して外方に所定の角度θをなすように形成した。同じく長側壁２２ｂ，２２ｂを設置面Ｓ及び垂直面Ｓｐ１の双方に直交する垂直面Ｓｐ２に対して外方に所定の角度θをなすように形成した。また、好気処理室２６の底部における第１隔壁２３側には水流ガイド部２９ａを設けるようにした。このため、旋回流Ｃ１，Ｃ２の生成が容易となると共にこれらの水流を良好に保持することができる。
【００６８】
（１２）散気管５１，６２の空気噴出口５１ａ，６２ａ方向が下方となるように、当該散気管５１，６２を好気分解室２５の内壁（第１隔壁２３の好気分解室２５側側面）及び好気処理室２６の内壁（第２隔壁２４の好気処理室２６側側面）にそれぞれ固定するようにした。このため、散気管５１，６２の空気噴出口５１ａ，６２ａからそれぞれ噴出される空気により好気分解室２５及び好気処理室２６内で発生した水流によって撹拌される生ゴミ破砕物（繊維質や固形物）が散気管５１，６２に巻き付くことが抑制される。従って、散気管５１，６２の空気噴出口５１ａ，６２ａの閉塞が抑制され、好気分解室２５及び２６内に安定して空気を供給することができる。
【００６９】
（１３）無機分離槽本体３１のオーバフロー口３１ａよりも下の部位を好気分解室２５内の生ゴミ排水に浸すようにした。そして、無機分離槽本体３１の上端縁が処理容器２２の上端縁から突出しないように当該無機分離槽本体３１を配置するようにした。このため、無機分離槽本体３１を好気分解室２５内の生ゴミ排水に浸さないようにした場合と異なり、処理槽１３の高さを低くすることができる。ひいては処理槽１３の小型化に寄与する。
【００７０】
（１４）沈殿処理室２７内には、第２隔壁２４の流出凹部２４ａと排水管７２とを遮るように分離壁６５を配置するようにした。このため、好気処理室２６から流入してきた生ゴミ排水に含まれる固形物や余剰汚泥が直接排水管７２から外部に排出されることを抑制することができる。
【００７１】
（１５）沈殿処理室２７の底部における第２隔壁２４側には水流ガイド部２９ｂを第２隔壁２４側に向かうにつれて傾斜が大きくなるように形成した。また、沈殿処理室２７側の短側壁２２ａの下部には沈殿処理室２７の内方へ屈曲した傾斜壁Ｂを形成した。このため、好気処理室２６から流入してきた生ゴミ排水に含まれる固形物や余剰汚泥は、水流ガイド部２９ｂ及び傾斜壁Ｂによりエアリフト管７３の下端開口部の直下、即ち沈殿処理室２７の内底面における中央部付近に集められる。従って、未分解の固形物や余剰汚泥を効率的にエアリフト管７３に流入させ、無機物分離槽２８内へ戻すことができる。
【００７２】
（別例）
尚、前記実施形態は以下のような別例に変更して実施してもよい。
・本実施形態では、設置面Ｓに平行をなす水平面Ｓｈに対して所定の角度θｈをなすように第１フィルタ部４１及び第２フィルタ部６１の底壁４６（各フィルタ４７を）設けるようにしたが、角度θｈを任意に調節可能に構成するようにしてもよい。このようにすれば、各フィルタ４７の水平面Ｓｈに対する角度θｈを任意に調節することができる。
【００７３】
・本実施形態では破砕機１２の運転直前に当該破砕機１２内に生ゴミ分解酵素を投入するようにしたが、無機物分離槽２８又は好気分解室２５内に投入するようにしてもよい。このようにすれば、無機物分離槽２８又は好気分解室２５内において生ゴミ破砕物などに含まれる有機物の分解が促進される。
【００７４】
・本実施形態では、処理槽１３を地上に設置するようにしたが、地中に埋設するようにしてもよい。
・本実施形態では、沈殿処理室２７内に堆積した汚泥を無機物分離槽２８内に戻すようにしたが、好気分解室２５内に戻すようにしてもよい。このようにしても、沈殿処理室２７内に堆積した汚泥の減量化が図られる。
【００７５】
（付記）
次に前記実施形態及び別例から把握できる技術的思想を以下に追記する。
・好気分解室及び好気処理室の少なくとも一方には、当該好気分解室及び好気処理室の少なくとも一方の内部を撹拌する撹拌手段を設けるようにした請求項１〜請求項７のうちいずれか一項に記載の生ゴミ処理システム。このようにすれば、好気分解室及び好気処理室の少なくとも一方において、生ゴミ破砕物の分解処理効率を向上させることができる。
【００７６】
・前記無機物分離槽の上端縁が好気分解室の上端縁から突出しないように当該無機物分離槽を好気分解室２５内に設けるようにした請求項２〜請求項７のうちいずれか一項に記載の生ゴミ処理システム。このようにすれば、処理槽１３の小型化が図られる。
【００７７】
・前記沈殿処理室には沈殿処理済みの生ゴミ排水を外部に排出する排水管が接続されており、当該沈殿処理室内には好気処理室の流出口と排水管との間には、好気処理室の流出口から流入してきた生ゴミ排水に含まれる固形物が排水管から直接外部に排出することを抑制する固形物排出抑制構造を備えた請求項３〜請求項７のうちいずれか一項に記載の生ゴミ処理システム。
【００７８】
・前記沈殿処理室には好気処理室から流入してきた生ゴミ排水に含まれる固形物を返送手段における生ゴミ排水の流入口の直下に集める固形物集合構造を設けるようにした請求項３〜請求項７のうちいずれか一項に記載の生ゴミ処理システム。
【００７９】
【発明の効果】
本発明によれば、大型化を極力抑えると共に排水の処理能力を向上させることができる。
【図面の簡単な説明】
【図１】本実施形態の生ゴミ処理システムの概略構成図。
【図２】本実施形態の生ゴミ処理システムにおける処理槽の正断面図。
【図３】図２における１−１線断面図。
【図４】本実施形態の生ゴミ処理システムにおける処理槽の斜視図。
【図５】本実施形態における第１沈殿室の分解斜視図。
【図６】本実施形態における第１及び第２フィルタの斜視図。
【図７】本実施形態の第１及び第２フィルタの着脱構造を示す図１における２−２線断面図。
【図８】本実施形態の無機分離槽本体への網かごの着脱構造を示す図１における３−３線断面図。
【図９】本実施形態における散気管の正断面図。
【符号の説明】
１１…生ゴミ処理システム、１２…破砕機、１３…処理槽、
１４…移送手段を構成する移送管、
２３…好気分解室の内壁を構成する第１隔壁、
２３ａ…好気分解室からの生ゴミ排水の流出口を構成する流出凹部、
２４…好気処理室の内壁を構成する第２隔壁、
２４ａ…好気処理室からの生ゴミ排水の流出口を構成する流出凹部、
２５…好気分解室、２６…好気処理室、２７…沈殿処理室、
２８…無機物分離槽、２９ａ…撹拌手段を構成する水流ガイド部、
２９ｂ…固形物集合構造を構成する水流ガイド部、
４４ａ…好気分解室からの生ゴミ排水の流出口を構成する流出凹部、
４６…撹拌手段を構成する底壁、４７…撹拌手段を構成するフィルタ、
５１，６２…散気手段及び撹拌手段を構成する散気管、
５１ａ，６２ａ…空気噴出口、
５２，６３…散気手段及び撹拌手段を構成する連結管、
５３…散気手段、返送手段及び撹拌手段を構成するブロワ、６４…担体、
６５…固形物排出抑制構造を構成する分離壁、
７３…返送手段を構成するエアリフト管、
７３ａ…返送手段における生ゴミ排水の流入口を構成する下端開口部７３ａ、
７４…返送手段を構成する連結管、７５…返送手段を構成する返送管、
Ｂ…固形物集合構造を構成する傾斜壁、Ｃ１，Ｃ２…旋回流（水流）、
Ｍｃ…生ゴミ分解酵素投入手段を構成する生ゴミ分解酵素投入装置。
【図１】
2004181288.tif 000003
【図２】
2004181288.tif 000004
【図３】
2004181288.tif 000005
【図４】
2004181288.tif 000006
【図５】
2004181288.tif 000007
【図６】
2004181288.tif 000008
【図７】
2004181288.tif 000009
【図８】
2004181288.tif 000010
【図９】
2004181288.tif 000011